(57)【要約】  本開示の高周波加熱装置は、第１電極（１１）と、第２電極（１２）と、高周波電源と、位置調整部（２０）と、制御部とを備える。第２電極（１２）は、第１電極（１１）に対向して配置される。高周波電源は、第１電極（１１）または第２電極（１２）に高周波電力を供給する。位置調整部（２０）は第１電極（１１）の位置を調整する。制御部は位置調整部（２０）を制御する。位置調整部（２０）は、重り（２１）と、一つ以上の接続線（２２）と、一つ以上の滑車（２３）と、一つ以上の駆動部（２４）とを有する。一つ以上の接続線（２２）は、重り（２１）と第１電極（１１）とを接続する。一つ以上の滑車（２３）は、一つ以上の接続線（２２）を支持する。一つ以上の駆動部（２４）は、一つ以上の滑車（２３）に取り付けられ、一つ以上の滑車（２３）を駆動する。本態様によれば、加熱対象物を効率良く加熱することができる。
2020110866.tif 000002
【特許請求の範囲】
【請求項１】
第１電極と、
前記第１電極に対向して配置された第２電極と、
前記第１電極または前記第２電極に高周波電力を供給するように構成された高周波電源と、
前記第１電極の位置を調整するように構成された位置調整部と、
前記位置調整部を制御するように構成された制御部と、
を備え、
前記位置調整部は、
重りと、
前記重りと前記第１電極とを接続する一つ以上の接続線と、
前記一つ以上の接続線を支持する一つ以上の滑車と、
前記一つ以上の滑車に取り付けられ、前記一つ以上の滑車を駆動するように構成された一つ以上の駆動部と、を有する、高周波加熱装置。
【請求項２】
前記重りが前記第１電極よりも軽い、請求項１に記載の高周波加熱装置。
【請求項３】
前記第１電極の中央には、前記高周波電源から前記第１電極に前記高周波電力を供給するように構成された給電部が設けられ、
前記一つ以上の接続線が、前記給電部とは異なる位置で前記第１電極に接続された、請求項１に記載の高周波加熱装置。
【請求項４】
前記第１電極を高さ方向に案内するように構成されたガイドをさらに備えた、請求項１に記載の高周波加熱装置。
【請求項５】
前記第１電極が前記ガイドに支持された、請求項４に記載の高周波加熱装置。
【請求項６】
前記一つ以上の滑車が、前記一つ以上の接続線と前記第１電極との接続位置よりも前記ガイドの近くに配置された、請求項５に記載の高周波加熱装置。
【請求項７】
前記一つ以上の接続線が、前記第１電極に対して傾斜するように、前記第１電極に接続された、請求項５に記載の高周波加熱装置。
【請求項８】
前記一つ以上の接続線が、前記第１電極の重心で前記第１電極に接続され、
前記一つ以上の滑車が、前記一つ以上の接続線が前記第１電極と垂直になるように、前記第１電極の前記重心の上方に配置された、請求項１に記載の高周波加熱装置。
【請求項９】
前記一つ以上の接続線が、複数の接続線を含み、
前記第１電極の重心が、前記複数の接続線が前記第１電極と接続される複数の接続位置を結んで形成される線分の重点、または、前記複数の接続位置を結んで形成される多角形の重心に位置する、請求項１に記載の高周波加熱装置。
【請求項１０】
前記一つ以上の接続線のそれぞれが、互いに独立した複数の線状部材を有し、
前記複数の線状部材が、前記一つ以上の滑車を介して接続された、請求項１に記載の高周波加熱装置。
【請求項１１】
前記位置調整部が、前記重りを高さ方向に案内する重りガイドをさらに備えた、請求項１に記載の高周波加熱装置。
【発明の詳細な説明】
【技術分野】
【０００１】
本開示は高周波加熱装置に関する。
【背景技術】
【０００２】
従来、例えば、特許文献１に記載の高周波加熱装置が知られている。この装置は、対向する電極間に配置された加熱対象物を、電極間に供給された高周波電力によって加熱する解凍装置である。【０００３】
特許文献１に記載の解凍装置は、対向電極と、電極間隔調節機構と、高周波供給回路と、条件変更部とを備える。電極間隔調節機構は、対向電極の間隔を調節する。高周波供給回路は、対向電極に高周波電力を供給する。条件変更部は、対向電極の間隔に応じて、高周波電力の対向電極への供給条件を変更する。【０００４】
特許文献１に記載の解凍装置は、対向電極の間隔を解凍対象物の高さに応じて調節することで、解凍対象物の高さに関わらず、より適切な状態で解凍対象物を解凍しようとするものである。
【先行技術文献】
【特許文献】
【０００５】
【特許文献１】特開２００６−１２５４７号公報
【発明の概要】
【０００６】
特許文献１に記載の装置は、モータと棒状の支持部材とを含む昇降機構を有する。昇降機構は、モータに連結されたピニオンラック機構のラックに連結された支持部材で支持された電極を昇降させる。
【０００７】
このような装置では、電極を支持部材で支持しつつ、モータの回転によって電極を移動させる。このため、高トルクの大型のモータを用いるか、高トルクを生み出すためにギアを用いる必要がある。しかし、モータによる支持部材の上下動により、加熱対象物の高さに応じて電極を適切な位置に配置するように制御することが難しい。
【０００８】
電極を適切な位置に配置できないと、加熱対象物を均一に加熱できなかったり、加熱完了までに時間がかかったりすることがある。その結果、加熱対象物を効率良く加熱することができない。
【０００９】
さらに、このような装置は、モータおよび支持部材を配置するための空間を必要とする。すなわち、このような装置には、省空間化を図る観点からも改善の余地がある。
【００１０】
本開示の一態様の高周波加熱装置は、第１電極と、第２電極と、高周波電源と、位置調整部と、制御部とを備える。第２電極は、第１電極に対向して配置される。高周波電源は、第１電極または第２電極に高周波電力を供給する。位置調整部は第１電極の位置を調整する。制御部は位置調整部を制御する。
【００１１】
位置調整部は、重りと、一つ以上の接続線と、一つ以上の滑車と、一つ以上の駆動部とを有する。一つ以上の接続線は、重りと第１電極とを接続する。一つ以上の滑車は、一つ以上の接続線を支持する。一つ以上の駆動部は、一つ以上の滑車に取り付けられ、一つ以上の滑車を駆動する。
【００１２】
本態様によれば、加熱対象物を効率良く加熱することができる。
【図面の簡単な説明】
【００１３】
【図１】図１は、本開示の実施の形態に係る高周波加熱装置の構成を示す概略図である。
【図２】図２は、位置調整部の全体構成を示す斜視図である。
【図３】図３は、位置調整部の詳細な構成を示す拡大斜視図である。
【図４】図４は、第１電極を下方に移動させた状態における加熱室内部を示す斜視図である。
【図５】図５は、接続部材がガイドに押し当てられた状態を示す断面図である。
【図６】図６は、高周波電源の構成を示す概略図である。
【図７Ａ】図７Ａは、整合器の一つの構成を示す概略図である。
【図７Ｂ】図７Ｂは、整合器の他の構成を示す概略図である。
【図８Ａ】図８Ａは、接続線および滑車の配置に関する第１の変形例を模式的に示す断面図である。
【図８Ｂ】図８Ｂは、接続線および滑車の配置に関する第２の変形例を模式的に示す断面図である。
【図８Ｃ】図８Ｃは、接続線および滑車の配置に関する第３の変形例を模式的に示す断面図である。
【図９】図９は、二つの接続線を用いて第１電極を支持するための構成例を模式的に示す斜視図である。
【図１０】図１０は、三本の接続線を用いて第１電極を支持するための構成例を模式的に示す斜視図である。
【発明を実施するための形態】
【００１４】
本開示の第１態様の高周波加熱装置は、第１電極と、第２電極と、高周波電源と、位置調整部と、制御部とを備える。第２電極は、第１電極に対向して配置される。高周波電源は、第１電極または第２電極に高周波電力を供給する。位置調整部は第１電極の位置を調整する。制御部は位置調整部を制御する。
【００１５】
位置調整部は、重りと、一つ以上の接続線と、一つ以上の滑車と、一つ以上の駆動部とを有する。一つ以上の接続線は、重りと第１電極とを接続する。一つ以上の滑車は、一つ以上の接続線を支持する。一つ以上の駆動部は、一つ以上の滑車に取り付けられ、一つ以上の滑車を駆動する。
【００１６】
本開示の第２の態様の高周波加熱装置において、第１の態様に加えて、重りは第１電極よりも軽い。
【００１７】
本開示の第３の態様の高周波加熱装置において、第１の態様に加えて、第１電極の中央には、高周波電源から第１電極に高周波電力を供給する給電部が設けられる。一つ以上の接続線は、給電部とは異なる位置で第１電極に接続される。
【００１８】
本開示の第４の態様の高周波加熱装置は、第１の態様に加えて、第１電極を高さ方向に案内するガイドをさらに備える。
【００１９】
本開示の第５の態様の高周波加熱装置において、第４の態様に加えて、第１電極はガイドに支持される。
【００２０】
本開示の第６の態様の高周波加熱装置において、第５の態様に加えて、一つ以上の滑車は、一つ以上の接続線と第１電極との接続位置よりもガイドの近くに配置される。
【００２１】
本開示の第７の態様の高周波加熱装置において、第５の態様に加えて、一つ以上の接続線は、第１電極に対して傾斜して接続される。
【００２２】
本開示の第８の態様の高周波加熱装置において、第１の態様に加えて、一つ以上の接続線は、第１電極の重心で第１電極と接続される。一つ以上の滑車は、一つ以上の接続線が第１電極と垂直になるように、第１電極の重心の上方に配置される。
【００２３】
本開示の第９の態様の高周波加熱装置において、第１の態様に加えて、第１電極は、複数の接続線と接続される。第１電極１１の重心は、複数の接続線が第１電極と接続される複数の接続位置を結んで形成される線分の重点、または、当該複数の接続位置を結んで形成される多角形の重心に位置する。
【００２４】
本開示の第１０態様の高周波加熱装置において、第１の態様に加えて、一つ以上の接続線のそれぞれは、互いに独立した複数の線状部材を有する。複数の線状部材は、一つ以上の滑車を介して接続される。
【００２５】
本開示の第１１態様の高周波加熱装置において、第１の態様に加えて、位置調整部は、重りを高さ方向に案内する重りガイドをさらに備える。
【００２６】
以下、本開示の実施の形態について、添付の図面を参照しながら説明する。
【００２７】
［全体構成］
図１は、本実施の形態に係る高周波加熱装置１の構成を示す概略図である。図１に示すように、高周波加熱装置１は、第１電極１１と、第２電極１２と、加熱室１３と、位置調整部２０と、高周波電源３０と、整合器４０と、制御部５０とを備える。
【００２８】
本実施の形態において、第１電極１１と第２電極１２とは、加熱室１３内に配置される。加熱対象物９０は、第１電極１１と第２電極１２との間の、第２電極１２上に配置される。加熱対象物９０は、厚さの均一な誘電体、例えば、食材である。
【００２９】
位置調整部２０は、第１電極１１の位置を調整する。本実施の形態では、位置調整部２０は、加熱対象物９０の高さに応じて第１電極１１の高さを調整する。高周波電源３０は、第１電極１１に高周波電力を供給する。これにより、第１電極１１と第２電極１２との間に電界を発生させ、第１電極１１と第２電極１２との間に配置された加熱対象物９０を誘電加熱する。
【００３０】
＜第１電極＞
第１電極１１は、加熱室１３内の上部に配置された、矩形形状を有する平板状の電極である。
【００３１】
＜第２電極＞
第２電極１２は、矩形形状を有する平板状の電極である。第２電極１２は、加熱室１３の底面上に第１電極１１に対向して配置される。
【００３２】
＜位置調整部＞
図２は、位置調整部２０の全体構成を示す斜視図である。図３は、位置調整部２０の詳細な構成を示す拡大斜視図である。図２、図３において、加熱室１３の内部が見えるように、高周波電源３０、整合器４０、制御部５０などの要素、および、高周波加熱装置１の筐体が省略されている。
【００３３】
以下の図面において、Ｘ軸、Ｙ軸、Ｚ軸は、高周波加熱装置１の幅方向、奥行き方向、高さ方向をそれぞれ示す。Ｘ軸の正方向は、高周波加熱装置１の左方向を示す。Ｙ軸の正方向は、高周波加熱装置１の後方向を示す。Ｚ軸の正方向は、高周波加熱装置１の上方向を示す。
【００３４】
図２に示すように、位置調整部２０は、加熱室１３の天井に配置され、制御部５０の指示に応じて第１電極１１と第２電極１２との間の距離を調整する。位置調整部２０は、重り２１と、接続線２２と、滑車２３と、駆動部２４とを備える。重り２１は、加熱室１３の後壁の外側に配置される。重り２１は、接続線２２の一端に接続される。重り２１は、接続線２２が滑車２３を介して移動することで昇降する。
【００３５】
位置調整部２０は、重り２１を高さ方向に案内する重りガイド２５を有する。重りガイド２５は、加熱室１３の後壁の外側に配置される。重り２１は、矩形形状を有する板状部材で形成される。例えば、重り２１は、板状部材を屈曲させて形成される。重り２１の中央には、重りガイド２５が通る孔が形成される。重り２１は、接続線２２の移動に伴って重りガイド２５に沿って昇降する。
【００３６】
重り２１は第１電極１１よりも軽い。例えば、重り２１は、第１電極１１の重さの８０％以上、９９％以下の重さを有する。
【００３７】
接続線２２は、重り２１と第１電極１１とを接続する。例えば、接続線２２は金属製のワイヤで形成される。接続線２２の一端には重り２１が接続される。接続線２２の他端には第１電極１１が接続される。接続線２２は、滑車２３を介して重り２１と第１電極１１とを接続する。
【００３８】
図２、図３に示すように、重り２１と第１電極１１とは、二つの接続線２２によって接続される。二つの接続線２２のそれぞれは、互いに独立した線状部材２６ａ、２６ｂを含む。線状部材２６ａの一端は重り２１に接続され、線状部材２６ａの他端は滑車２３ｂに接続される。線状部材２６ｂの一端は第１電極１１に接続され、線状部材２６ｂの他端は滑車２３ｂに接続される。
【００３９】
滑車２３は円柱部材で形成され、円柱部材の中心軸を中心に回転可能である。滑車２３の円柱部材の側面には、接続線２２を案内する溝が形成される。滑車２３は、二つの滑車（滑車２３ａ、２３ｂ）含む。滑車２３ａ、２３ｂは、加熱室１３の天井の外側に左右に並ぶように配置される。
【００４０】
滑車２３ａは、加熱室１３の天井の外側の最後部に配置される。滑車２３ｂは、加熱室１３の天井の外側における滑車２３ａの前方に配置される。例えば、滑車２３ｂは、第１電極１１の中央付近の上方に配置される。滑車２３ａは、接続線２２の線状部材２６ａに接続される。滑車２３ｂは、接続線２２の線状部材２６ａと線状部材２６ｂとに接続される。
【００４１】
駆動部２４は、滑車２３ｂの軸に取り付けられ、滑車２３ｂを回転させる。例えば、駆動部２４は、ステッピングモータなどで構成される。滑車２３が回転すると、重り２１が上方または下方に移動する。重り２１を上方に移動させると、第１電極１１が下方に移動し、重り２１を下方に移動させると、第１電極１１が上方に移動する。
【００４２】
駆動部２４は、モータの保持トルクによって第１電極１１を所定の位置に保持する。重り２１の重さにより、第１電極１１を保持するのに必要な駆動部２４の保持トルクが低減される。
【００４３】
図４は、第１電極１１を下方に移動させた状態における加熱室１３内部を示す斜視図である。図４において、加熱室１３の内部が見えるように、高周波電源３０、整合器４０、制御部５０、第２電極１２などの要素、および、高周波加熱装置１の筐体が省略されている。
【００４４】
図４に示すように、駆動部２４が、滑車２３ｂに巻き取られた線状部材２６ｂを送り出すように滑車２３ｂを回転させると、第１電極１１が下方に移動する。
【００４５】
加熱室１３の内部には、中心軸がＺ軸に沿った円柱形状を有する二つのガイド２７が配置される。ガイド２７は、加熱室１３の後壁の近傍に配置される。ガイド２７は、第１電極１１を上下方向に案内する。ガイド２７は、例えば、絶縁材料で形成される。
【００４６】
第１電極１１は、管状の接続部材２８を介してガイド２７により間接的に支持される。接続部材２８は、第１電極１１の後方の端部に連結される。ガイド２７は接続部材２８に挿入される。第１電極１１が上下に移動すると、接続部材２８はガイド２７に沿って摺動する。
【００４７】
接続部材２８がガイド２７に沿って滑らかに摺動するためには、接続部材２８とガイド２７との間にはわずかな隙間が必要である。しかし、この隙間のために第１電極１１が傾く可能性がある。本実施の形態では、以下に示すように、第１電極１１が接続部材２８をガイド２７に押し当てることにより、第１電極１１が水平に保たれる。
【００４８】
第１電極１１の中央には、高周波電源３０からの高周波電力を第１電極１１に供給する給電部２９が設けられる。二つの接続線２２は、第１電極１１の左右方向の端部の前後方向の中央に接続される。これにより、二つの接続線２２と給電部２９とが、高周波加熱装置１の左右方向に一直線上に並ぶ。
【００４９】
図５は、接続部材２８がガイド２７に押し当てられた状態を示す断面図である。図５は、左右方向から見た場合の第１電極１１の状態を示す。図５に示すように、第１電極１１が接続部材２８をガイド２７に押し当てる。これにより、接続部材２８がガイド２７に平行となる。その結果、第１電極１１が水平に保たれる。
【００５０】
本実施の形態では、滑車２３ｂは、図５に示す中心線ＣＬ１よりもガイド２７の近くに配置される。接続線２２は、中心線ＣＬ１上で第１電極１１に接続される。これにより、第１電極１１が接続部材２８をガイド２７に押し当てる。中心線ＣＬ１とは、接続線２２と第１電極１１との接続位置から垂直に延在する、第１電極１１の前後方向の中央を通る線である。すなわち、滑車２３ｂは、接続線２２と第１電極１１との接続位置よりもガイド２７の近くに配置される。
【００５１】
＜高周波電源＞
上述の通り、高周波電源３０は第１電極１１に接続され、第１電極１１に高周波電力を供給する。図６は、高周波電源３０の構成を示す概略図である。図６に示すように、高周波電源３０は、高周波発振器３１と、増幅器３２と、増幅器３３とを備える。高周波発振器３１は、ＨＦ〜ＶＨＦ帯域の高周波信号を発振する。増幅器３２、３３は、制御部５０からの指示に応じて、高周波発振器３１により発振された高周波信号を増幅する。
【００５２】
＜整合器＞
図１に示すように、整合器４０は、第１電極１１と高周波電源３０との間に配置される。整合器４０は、高周波電源３０のインピーダンスと、第１電極１１、第２電極１２、加熱対象物９０を含む加熱室１３内のインピーダンスとのインピーダンス整合をとる。
【００５３】
図７Ａは、整合器４０の構成を示す概略図である。図７Ａに示すように、整合器４０は、可変インダクタＬ１と可変キャパシタＣ１とを備える。整合器４０では、可変インダクタＬ１は、第１電極１１に接続される。可変キャパシタＣ１は、グランドに接続される。従って、第１電極１１と第２電極１２で構成されるキャパシタは、可変インダクタＬ１と直列に接続され、可変キャパシタＣ１と並列に接続される。
【００５４】
整合器４０は、制御部５０からの指示に応じて、可変インダクタＬ１のインダクタンスおよび可変キャパシタＣ１の容量の少なくとも一方を変化させることで、加熱室１３と高周波電源３０とのインピーダンス整合をとる。
【００５５】
図７Ｂは、整合器４０の変形例である整合器４０ａの構成を示す概略図である。図７Ｂに示すように、整合器４０ａは、可変インダクタＬ２、Ｌ３を備える。整合器４０ａでは、可変インダクタＬ２は、第１電極１１に接続される。可変インダクタＬ３は、グランドに接続される。従って、第１電極１１と第２電極１２で構成されるキャパシタは、可変インダクタＬ２と直列に接続され、可変インダクタＬ３と並列に接続される。整合器４０ａは、制御部５０からの指示に応じて、可変インダクタＬ２および可変インダクタＬ３の少なくとも一方のインダクタンスを変化させることで、加熱室１３と高周波電源３０とのインピーダンス整合をとる。
【００５６】
＜制御部＞
制御部５０は、例えば、マイクロコンピュータにより構成される。図１に示すように、制御部５０は、第１電極１１と第２電極１２との間に配置される加熱対象物９０の寸法に応じて、第１電極１１の位置（具体的には高さ）を調整するように、位置調整部２０を制御する。
【００５７】
制御部５０は、所望の高周波電力を第１電極１１に供給するように、高周波電源３０を制御する。制御部５０は、加熱室１３と高周波電源３０とのインピーダンス整合をとるように、整合器４０を制御する。具体的には、制御部５０は、整合器４０に含まれた可変インダクタのインダクタンスおよび可変キャパシタの容量の少なくとも一方を制御する。
【００５８】
［効果］
本実施の形態によれば、以下の効果を得ることができる。
【００５９】
高周波加熱装置１は、第１電極１１の位置を調整する位置調整部２０を備える。位置調整部２０は、重り２１と、接続線２２と、滑車２３と、駆動部２４とを有する。接続線２２は、重り２１と第１電極１１とを接続する。滑車２３は接続線２２を支持する。駆動部２４は滑車２３に取り付けられ、滑車２３を駆動する。この構成により、第１電極１１の位置を精度よく調整することができ、加熱対象物９０を効率良く加熱することができる。
【００６０】
具体的には、第１電極１１の重さによる第１電極１１の下方への移動を重り２１の重さによって抑制することにより、第１電極１１を停止および移動させるための駆動部２４のトルクを低減させることができる。このため、制御部５０は、第１電極１１の位置を精度よく調整することができる。その結果、制御部５０は、加熱対象物９０の寸法に応じて第１電極１１を適切な位置に配置することができる。
【００６１】
本実施の形態によれば、加熱対象物９０を均一に加熱したり、加熱時間を短縮したりすることができる。その結果、加熱対象物９０を効率良く加熱することができる。
【００６２】
本実施の形態では、第１電極１１を上下に移動させる機構が、加熱室１３の外側に配置される。このため、加熱室１３内の第１電極１１の上方に、この機構を配置するための空間を設ける必要がない。
【００６３】
滑車２３は、接続線２２の移動を前後方向から上下方向に、上下方向から前後方向に変化させる。このため、第１電極１１の後方に、前後方向に移動する接続線２２を収容するための空間を設ける必要がない。本実施の形態によれば、装置全体を小さく、または、加熱室１３を広くすることができる。
【００６４】
本実施の形態では、第１電極１１を保持したり、移動させたりするための駆動部２４の保持トルクを低減することができる。このため、低トルクの小型のモータを駆動部２４として使用することができる。その結果、省スペース化とコスト削減とを同時に図ることができる。
【００６５】
重り２１は第１電極１１よりも軽い。このため、駆動部２４が保持トルクを停止させると、第１電極１１を下方に容易に移動させることができる。その結果、滑車２３の空回りなどを抑制することができる。
【００６６】
高周波加熱装置１は、第１電極１１を上下方向に案内するガイド２７を備える。これにより、第１電極１１を滑らかに上下に移動させることができる。
【００６７】
第１電極１１の中央には、高周波電源３０からの高周波電力を第１電極１１に供給する給電部２９が設けられる。給電部２９と異なる位置で、複数の接続線２２が第１電極１１に接続される。この構成により、第１電極１１の中央から高周波電力を供給することができ、第１電極１１を、第１電極１１の中央以外の複数の位置で保持することができる。これにより、第１電極１１を安定的に保持することができる。
【００６８】
接続線２２は、互いに独立した線状部材２６ａ、２６ｂを含み、線状部材２６ａ、２６ｂは、滑車２３を介して接続される。この構成により、滑車２３の空回りを抑制することができる。
【００６９】
位置調整部２０は、重り２１を上下方向に案内する重りガイド２５を備える。この構成により、重り２１を上下に滑らかに移動させることができる。
【００７０】
本実施の形態では、第１電極１１は矩形形状を有する。しかし、第１電極１１は、円形、楕円形、多角形などの形状を有してもよい。
【００７１】
本実施の形態では、図６に示すように、高周波電源３０は、高周波発振器３１と、増幅器３２、３３とを備える。しかし、高周波電源３０は、高周波電力を出力することができれば、この構成に限定されない。
【００７２】
本実施の形態では、高周波加熱装置１は整合器４０を備える。しかし、高周波加熱装置１は整合器４０を備えていなくてもよい。
【００７３】
本実施の形態では、重り２１は、加熱室１３の後壁の外側に配置される。しかし、重り２１が配置されるのは、加熱室１３の内部でも加熱室１３の天井の外側でもよい。
【００７４】
本実施の形態では、重り２１は第１電極１１よりも軽い。しかし、重り２１は第１電極１１よりも重くてもよい。この場合、駆動部２４が保持トルクを停止させると、第１電極１１を上方に容易に移動させることができる。
【００７５】
本実施の形態では、位置調整部２０は、複数の接続線２２に接続された一つの重り２１を有する。しかし、位置調整部２０は複数の重りを有してもよい。
【００７６】
本実施の形態では、位置調整部２０は、複数の接続線２２、複数の滑車２３、および、複数の駆動部２４を備える。しかし、位置調整部２０は、一つの接続線２２、一つの滑車２３、および、一つの駆動部２４を備えてもよい。
【００７７】
本実施の形態では、接続線２２は、互いに独立した線状部材２６ａ、２６ｂを含む。しかし、接続線２２は一つの線状部材で形成されてもよい。
【００７８】
実施の形態１では、重り２１および重りガイド２５は、加熱室１３の後壁の外側に配置される。しかし、重り２１および重りガイド２５は、加熱室１３の内、外のいずれに配置されてもよい。
【００７９】
本実施の形態では、位置調整部２０は重りガイド２５を備える。しかし、位置調整部２０は重りガイド２５を備えていなくてもよい。
【００８０】
本実施の形態では、高周波加熱装置１は、第１電極１１を上下方向に案内するガイド２７を備える。しかし、高周波加熱装置１はガイド２７を備えなくてもよい。
【００８１】
本実施の形態では、ガイド２７は加熱室１３内に配置される。しかし、ガイド２７は加熱室１３の外に配置されてもよい。
【００８２】
本実施の形態では、第１電極１１は、接続部材２８を介してガイド２７により間接的に支持される。しかし、第１電極１１は、ガイド２７により直接的に支持されてもよい。第１電極１１を水平に保つことができれば、第１電極１１はガイド２７により支持されなくてもよい。
【００８３】
本実施の形態では、複数の接続線２２は金属ワイヤで構成される。しかし、第１電極１１の質量に耐えることができれば、接続線２２の材料はこれに限定されない。複数の接続線２２を金属ワイヤで構成する場合、第１電極１１は複数の接続線２２から絶縁されているのが望ましい。
【００８４】
本実施の形態では、滑車２３ｂは、第１電極１１の中心線ＣＬ１よりもガイド２７の近くに配置される。接続線２２は、中心線ＣＬ１上で第１電極１１に接続される。これにより、第１電極１１が接続部材２８をガイド２７に押し当てる。しかし、本開示は本構成に限定されない。
【００８５】
図８Ａは、接続線２２および滑車２３の配置に関する第１の変形例を模式的に示す断面図である。図８Ａに示すように、滑車２３ｂは、第１電極１１の中心線ＣＬ１よりも少しガイド２７の近くに配置される。接続線２２は、第１電極１１に対して角度θ１傾斜するように、中心線ＣＬ１よりもガイド２７とは反対側で第１電極１１に接続される。
【００８６】
本構成により、第１電極１１がＹ軸の正方向に付勢され、接続部材２８をＹ軸の正方向にガイド２７に押し当てる。これにより、接続部材２８の内壁がガイド２７に当接する。その結果、接続部材２８がガイド２７に平行となり、第１電極１１が水平に保たれる。角度θ１は、第１電極１１と接続線２２とがなす、０°より大きく９０°より小さい角度である。
【００８７】
図８Ｂは、接続線２２および滑車２３の配置に関する第２の変形例を模式的に示す断面図である。図８Ｂに示すように、滑車２３ｂは、第１電極１１の中心線ＣＬ１よりも少しガイド２７の近くに配置される。接続線２２は、第１電極１１に対して角度θ２傾斜するように、中心線ＣＬ１よりもガイド２７側で第１電極１１に接続される。
【００８８】
本構成により、第１電極１１がＹ軸の負方向に付勢され、接続部材２８をＹ軸の負方向にガイド２７に押し当てる。これにより、接続部材２８の内壁がガイド２７に当接する。その結果、接続部材２８がガイド２７に平行となり、第１電極１１が水平に保たれる。角度θ２は、第１電極１１と接続線２２とのなす、０°より大きく９０°より小さい角度である。
【００８９】
図８Ｃは、接続線２２および滑車２３の配置に関する第３の変形例を模式的に示す断面図である。図８Ｃに示すように、接続線２２は、第１電極１１の重心Ｇ１に接続される。滑車２３は、接続線２２が第１電極１１と垂直になるように、第１電極１１の重心Ｇ１の上方に配置される。これにより、第１電極１１がガイド２７に当接していなくても、第１電極１１が水平に保たれる。
【００９０】
図８Ｃに示す例では、重心Ｇ１が、第１電極１１の中心線ＣＬ１よりもガイド２７の近くに位置する。しかし、接続線２２が第１電極１１の重心Ｇ１に接続されてさえいれば、中心線ＣＬ１の位置は重要ではない。
【００９１】
図９は、二つの接続線２２（接続線２２ａ、接続線２２ｂ）を用いて第１電極１１を支持するための構成例を模式的に示す斜視図である。図９に示すように、接続線２２ａ、２２ｂは、それぞれ接続位置ＣＰ１、接続位置ＣＰ２で第１電極１１に接続されて、第１電極１１を支持する。
【００９２】
この場合、重心Ｇ１と接続位置ＣＰ１とを結ぶ線分、重心Ｇ１と接続位置ＣＰ２とを結ぶ線分は、ともに長さＤ１を有する。すなわち、第１電極１１の重心Ｇ１は、接続位置ＣＰ１と接続位置ＣＰ２とを結ぶ線分ＧＬ１の重点と一致する。
【００９３】
図１０は、三本の接続線２２（接続線２２ｃ、接続線２２ｄ、接続線２２ｅ）を用いて第１電極１１を支持する構成例を模式的に示す斜視図である。図１０に示すように、接続線２２ｃ、２２ｄ、２２ｅは、それぞれ接続位置ＣＰ３、接続位置ＣＰ４、接続位置ＣＰ５で第１電極１１に接続されて、第１電極１１を支持する。
【００９４】
この場合、第１電極１１の重心Ｇ１が、接続位置ＣＰ３、ＣＰ４、ＣＰ５を結んで形成される三角形ＧＦ１の重心と一致する。
【００９５】
図９および図１０に示す例では、第１電極１１は、それぞれ二つの接続線２２、三つの接続線２２により支持される。しかし、第１電極１１が、四つ以上の接続線２２により支持されてもよい。この場合、第１電極１１の重心Ｇ１が、第１電極１１と四つ以上の接続線２２とが接続される四つ以上の接続位置を結んで形成される多角形の重心に一致していればよい。
【産業上の利用可能性】
【００９６】
本開示に係る高周波加熱装置は、例えば、解凍機などの調理家電に適用可能である。
【符号の説明】
【００９７】
１  高周波加熱装置
１１  第１電極
１２  第２電極
１３  加熱室
２０  位置調整部
２１  重り
２２、２２ａ、２２ｂ、２２ｃ、２２ｄ、２２ｅ  接続線
２３、２３ａ、２３ｂ  滑車
２４  駆動部
２５  重りガイド
２６ａ、２６ｂ  線状部材
３０  高周波電源
３１  高周波発振器
３２、３３  増幅器
４０、４０ａ  整合器
５０  制御部
９０  加熱対象物
【図１】
2020110866.tif 000003
【図２】
2020110866.tif 000004
【図３】
2020110866.tif 000005
【図４】
2020110866.tif 000006
【図５】
2020110866.tif 000007
【図６】
2020110866.tif 000008
【図７Ａ】
2020110866.tif 000009
【図７Ｂ】
2020110866.tif 000010
【図８Ａ】
2020110866.tif 000011
【図８Ｂ】
2020110866.tif 000012
【図８Ｃ】
2020110866.tif 000013
【図９】
2020110866.tif 000014
【図１０】
2020110866.tif 000015
【手続補正書】
【提出日】令和3年4月27日(2021.4.27)
【手続補正１】
【補正対象書類名】明細書
【補正対象項目名】００２３
【補正方法】変更
【補正の内容】
【００２３】
本開示の第９の態様の高周波加熱装置において、第１の態様に加えて、第１電極は、複数の接続線と接続される。第１電極の重心は、複数の接続線が第１電極と接続される複数の接続位置を結んで形成される線分の重点、または、当該複数の接続位置を結んで形成される多角形の重心に位置する。
【国際調査報告】
2020110866.tif 000016
2020110866.tif 000017
2020110866.tif 000018
2020110866.tif 000019